(57)【要約】【課題】  現金を所持していなくてもチャージ等をすることができる携帯情報端末制御システムを提供する。【解決手段】  携帯情報端末は、金額情報を記憶する記憶部を有し、情報制御装置は、ユーザの識別番号と口座番号と取引金額との入力を受け付ける入力部と、入力部から入力される情報と取引要求とを金融機関のサーバに送信する取引要求部と、金融機関のサーバから送信される照合結果を参照し、照合結果が取引成立である場合に携帯情報端末の記憶部に記憶された金額情報を取引後の金額に更新する更新部とを有し、金融機関のサーバは、口座データ記憶部と、情報制御装置から送信される取引要求に基づき、ユーザ識別情報と口座番号と取引金額とについて口座データ記憶部を参照し、取引が成立するか否かを照合する照合部と、照合結果を携帯情報端末に送信する送信部とを有する。【選択図】    図１
2007034941.tif 000002
【特許請求の範囲】
【請求項１】
携帯情報端末と、前記携帯情報端末の記憶部に記憶された情報を参照する情報制御装置と、金融機関のサーバとを有する携帯情報端末管理システムであって、
前記携帯情報端末は、
利用可能な金額である金額情報を記憶する記憶部を有し、
前記情報制御装置は、
前記ユーザの識別番号と口座番号と取引金額との入力を受け付ける入力部と、
前記入力部から入力される情報と取引要求とを前記金融機関のサーバに送信する取引要求部と、
前記金融機関のサーバから送信される照合結果を参照し、照合結果が取引成立である場合に前記携帯情報端末の記憶部に記憶された金額情報を取引後の金額に更新する更新部とを有し、
前記金融機関のサーバは、
ユーザを認証するための顧客データと口座番号と当該口座にて取引可能な金額とを記憶する口座データ記憶部と、
前記情報制御装置から送信される取引要求に基づき、前記ユーザ識別情報と前記口座番号と取引金額とについて前記口座データ記憶部を参照し、取引が成立するか否かを照合する照合部と、
前記照合部の照合結果を前記携帯情報端末に送信する送信部とを有する
ことを特徴とする携帯情報端末管理システム。
【請求項２】
前記情報制御装置は、前記入力部から振り込み指示と振り込み金額と振込先の口座番号との入力を受け付ける振り込み指示受付部を有し、
前記振り込み指示受付部に入力された振り込み指示と口座番号に基づき、当該口座番号に対応する金融機関のサーバに振込金額に相当する金額の振り込み要求を行う振り込み要求部とを有し、
前記更新部は、前記振り込み要求に対する振り込みが完了したことを金融機関のサーバから受信して振り込み後の金額を前記携帯情報端末の記憶部に書き込み、
振込先となる金融機関のサーバは、
前記情報制御装置から受信した振り込み要求に基づき、振り込み要求された口座番号の口座に要求された振込金額を振り込む処理を行う振り込み処理部とを有し、
前記送信部は、前記振り込み処理部が振り込みを完了したことを前記情報制御装置に送信する
ことを特徴とする請求項１記載の携帯情報端末管理システム。
【請求項３】
前記情報制御装置は、住居内に設置されることを特徴とする請求項１または請求項２記載の携帯情報端末管理システム。
【請求項４】
解錠の指示に応じて錠を解錠する電子錠施錠装置をさらに有し、
前記携帯情報端末の記憶部は、携帯情報端末を識別するための識別情報を記憶し、
前記自動扉施錠制御装置は、
前記錠の解錠が可能な鍵の識別番号を鍵ＩＤとして記憶する第１の鍵情報記憶部と、
前記携帯情報端末の記憶部に記憶された識別情報を読み出す識別情報読み出し部と、
前記第１の鍵情報記憶部を参照し、前記識別情報読み出し部によって読み出した識別情報に一致する鍵ＩＤが記憶されているか否かを検索する検索部と、
前記検索部の検索結果に基づいて、識別情報に一致する鍵ＩＤが検索された場合に、前記電子錠施錠装置に解錠の指示を出力する解錠指示出力部と、
を有することを特徴とする携帯情報端末管理システム。
【発明の詳細な説明】
【技術分野】
【０００１】
本発明は、金融機関のサーバと口座を利用した取引を行うことができる携帯情報端末制御システムに関する。
【背景技術】
【０００２】
従来から、キャッシュディスペンサーが利用されている。これは、ＩＣカード等のキャッシュカードをキャッシュディスペンサーの所定の挿入口に挿入し、タッチボタン式の画面に表示されたテンキー等から暗証番号と取引金額を入力することによって、現金を引き出すことができる。
ここで、近年、現金を取引する他に、ＩＣチップにチャージすることによって現金の代わりとして利用可能なシステムも提供されつつある。このチャージは、例えばコンビニエンスストアのレジにおいて、チャージを希望する額の現金を渡し、所定のリーダライタに近づけることによってチャージ金額がＩＣチップに書きこまれる。これにより、チャージされた金額の範囲内で商品の購入や、各種サービスの提供を受けることができる。
このようなシステムが、例えば、特許文献１に記載されている。
【特許文献１】特開２００５−３１９４６号公報
【発明の開示】
【発明が解決しようとする課題】
【０００３】
しかしながら、上述した従来技術や特許文献１記載のシステムによれば、ＩＣチップにチャージするためには、予め現金を準備しなければならならず、現金の持ち合わせがない場合は、チャージすることができないという問題点があった。
また、チャージするためには、コンビニエンスストアなどチャージ可能な店舗に出向く必要があり、このような店舗を探さなければならないという問題点があった。
【０００４】
本発明は、このような事情に鑑みてなされたもので、その目的は、現金を所持していなくてもチャージ等をすることができる携帯情報端末制御システムを提供することにある。
また、本発明は、店舗に出向くことなくチャージすることができる携帯情報端末制御システムを提供することにある。
【課題を解決するための手段】
【０００５】
上述した課題を解決するために、本発明は、携帯情報端末と、前記携帯情報端末の記憶部に記憶された情報を参照する情報制御装置と、金融機関のサーバとを有する携帯情報端末管理システムであって、前記携帯情報端末は、利用可能な金額である金額情報を記憶する記憶部を有し、前記情報制御装置は、前記ユーザの識別番号と口座番号と取引金額との入力を受け付ける入力部と、前記入力部から入力される情報と取引要求とを前記金融機関のサーバに送信する取引要求部と、前記金融機関のサーバから送信される照合結果を参照し、照合結果が取引成立である場合に前記携帯情報端末の記憶部に記憶された金額情報を取引後の金額に更新する更新部とを有し、前記金融機関のサーバは、ユーザを認証するための顧客データと口座番号と当該口座にて取引可能な金額とを記憶する口座データ記憶部と、前記情報制御装置から送信される取引要求に基づき、前記ユーザ識別情報と前記口座番号と取引金額とについて前記口座データ記憶部を参照し、取引が成立するか否かを照合する照合部と、前記照合部の照合結果を前記携帯情報端末に送信する送信部とを有することを特徴とする。
【０００６】
また、本発明は、上述の携帯情報端末管理システムにおいて、前記情報制御装置は、前記入力部から振り込み指示と振り込み金額と振込先の口座番号との入力を受け付ける振り込み指示受付部を有し、前記振り込み指示受付部に入力された振り込み指示と口座番号に基づき、当該口座番号に対応する金融機関のサーバに振込金額に相当する金額の振り込み要求を行う振り込み要求部とを有し、前記更新部は、前記振り込み要求に対する振り込みが完了したことを金融機関のサーバから受信して振り込み後の金額を前記携帯情報端末の記憶部に書き込み、振込先となる金融機関のサーバは、前記情報制御装置から受信した振り込み要求に基づき、振り込み要求された口座番号の口座に要求された振込金額を振り込む処理を行う振り込み処理部とを有し、前記送信部は、前記振り込み処理部が振り込みを完了したことを前記情報制御装置に送信することを特徴とする。
【０００７】
また、本発明は、上述の携帯情報端末管理システムにおいて、前記情報制御装置は、住居内に設置されることを特徴とし２４時間稼動の必要のある端末であり、利用したい時にはいつでも利用できることにある。
【０００８】
また、本発明は、上述の携帯情報端末管理システムにおいて、解錠の指示に応じて錠を解錠する電子錠施錠装置をさらに有し、前記携帯情報端末の記憶部は、携帯情報端末を識別するための識別情報を記憶し、前記自動扉施錠制御装置は、前記錠の解錠が可能な鍵の識別番号を鍵ＩＤとして記憶する第１の鍵情報記憶部と、前記携帯情報端末の記憶部に記憶された識別情報を読み出す識別情報読み出し部と、前記第１の鍵情報記憶部を参照し、前記識別情報読み出し部によって読み出した識別情報に一致する鍵ＩＤが記憶されているか否かを検索する検索部と、前記検索部の検索結果に基づいて、識別情報に一致する鍵ＩＤが検索された場合に、前記電子錠施錠装置に解錠の指示を出力する解錠指示出力部と、を有することを特徴とする。
【０００９】
ここで、上述の携帯情報端末としては、例えば、ＩＣカードやＩＣチップが設けられた端末が用いられる。このＩＣチップが設けられた端末としては、携帯電話やＰＤＡ、ＰＨＳ、ゲーム機、ハンディ端末などを用いることが可能である。ここで、携帯情報端末としてＩＣカードを用いる場合は、入力装置や表示装置等を別途設けてこれらを利用することによって実現可能である。
【発明の効果】
【００１０】
以上説明したように、この発明によれば、金融機関の口座の残高を利用して携帯情報端末に書き込むようにしたので、現金を持ち合わせていなくても、チャージを行うことができる。また、情報制御装置をユーザの自宅等の住居内に設けることによって、店舗に出向くことなくチャージを行うことができる。
また、携帯情報端末によって扉の解錠をすることができるので、携帯情報端末を携帯していれば、電子マネーとしての利用、電子錠としての利用をすることができ、携帯する物品を簡略化することができる。
【発明を実施するための最良の形態】
【００１１】
以下、本発明の一実施形態による携帯情報端末管理システムについて図面を参照して説明する。図１は、この発明の一実施形態による携帯情報端末管理システムの構成を示す概略構成図である。
この実施形態においては、ＩＣチップが搭載された携帯情報端末あるいはＩＣカード等である携帯情報端末を用いて、住居等の室内に設けられた情報制御装置を中継して、金融機関のサーバにアクセスして携帯情報端末に電子マネーのチャージ・他金融機関への振り込み等を行う電子マネー機能と、携帯情報端末を用いて室内に入るための扉に設けられた電子錠の解錠を行う扉解錠機能とを有するものである。この携帯情報端末管理システムは、一戸建ての住居に適用することも可能であるが、マンションなどの集合住居にも適用可能である。以下、このシステムの構成について説明する。
【００１２】
携帯情報端末は、無線によってリーダライタと通信を行うＩＣチップを搭載した記録媒体が設けられた端末であり、例えば、Ｆｅｌｉｃａ（登録商標）を搭載した携帯電話６あるいはＩＣカード６ａなどである。このＩＣチップには、ユーザを識別するための識別情報が記憶される。
【００１３】
外部リーダライタ１００は、情報制御装置２０と通信を行い、携帯電話６、ＩＣカード６ａに設けられたＩＣチップに記憶された情報の読み出し・書き込みを行う。携帯電話６は、携帯電話６の画面に各種情報を表示し、携帯電話６のテンキー等を利用して入力することにより、これら入力された指示に応じて外部リーダライタ１００との通信を行う。ＩＣカード６ａを利用する場合は、ＩＣカード６ａそのものに画面やテンキーが通常設けられていないので、タッチパネル１１０を利用し、チャージ・振り込みなどを行うことが可能である。
【００１４】
情報制御装置２０は、玄関に設けられた電子錠施錠装置４、外部リーダライタ５１０とに対し、通信通信回線とサーバ５００を介して通信を行う機能と、サーバ５００、ＶＰＮサーバ５２０を介して金融機関５３０に設けられたサーバと通信を行う機能を有する。この情報制御装置２０は、電子錠施錠装置４と通信を行って玄関に設けられた扉の解錠を行うことが可能であり、また、金融機関５３０のサーバと通信を行って携帯電話６、ＩＣカード６ａを利用した取引を行うことが可能である。
【００１５】
サーバ５００は、マンションの管理室に設けられる。金融機関５３０には、後述する金融機関のサーバ５４０が設けられる。金融機関としては、例えば、銀行や郵便局である。以下、電子マネー機能と、扉解錠機能とについて、順次説明する。
【００１６】
Ａ）電子マネー機能
まず、図２を用いて電子マネー機能について説明する。図２は、携帯情報端末管理システムの構成を説明するための概略ブロック図である。
携帯情報端末の一例となる携帯電話６において、記憶部６１は、利用可能な金額である金額情報と識別情報とを記憶する。この金額情報は、例えば、利用可能な電子マネーの残高であり、この残高を超えない範囲において、商品を購入したり、サービスを受けることが可能である。この金額に応じた電子マネーを利用（支払い、振り込み等）することにより、残高が減額され、一方、入金（以下、チャージと称す）することによって、残高が増額される。
【００１７】
この記憶部６１は、携帯電話の通話やネットワークを介したメールやコンテンツ閲覧を行うためのメモリとは別に設けられる。識別情報は、記憶部６１を個別に識別可能な情報である。この識別情報は、以下、ユーザ識別情報として利用される。
【００１８】
入力部６２は、例えば、テンキーや十字等である。表示部６３は、例えば、液晶表示装置である。処理部６４は、記憶部６１に記憶された情報を読み出して情報制御装置２０に出力したり、情報制御装置２０から出力された情報を受信して記憶部６１に書き込む処理とを行う。この通信は、携帯電話６のメモリ内に設けられたアプリケーションを実行することにより機能し、記憶部６１に記憶された情報を読み出して情報制御装置２０に送信したり、情報制御装置２０から送信された情報を受信して記憶部６１に書き込む処理を行う。
【００１９】
情報制御装置２０において、入力部２０ａは、携帯電話６の処理部６４から送信されるユーザ識別番号と取引内容、取引金額、口座番号等を含むの入力データを受信する。取引要求部２０ｂは、入力部２０ａから入力される情報と取引要求とを金融機関のサーバ５４０に送信する。振り込み指示受付部２０ｃは、入力部２０ａから振り込み指示と振り込み金額と振込先の口座番号との入力データを受信する。振り込み要求部２０ｄは、振り込み指示受付部２０ｃに入力された振り込み指示と口座番号に基づき、当該口座番号に対応する金融機関のサーバに振込金額に相当する金額の振り込み要求を行う。更新部２０ｅは、金融機関のサーバ５４０から送信される照合結果を参照し、照合結果が取引成立である場合に携帯電話６の記憶部６１に記憶された金額情報を取引後の金額に更新する。この更新は、処理部６４を介して行われる。
【００２０】
リーダライタ２０ｆは、携帯電話６のＩＣチップと通信を行い、記憶部６１に対して書き込み、読み出しを行う。このリーダライタ２０ｆは、情報制御装置２０の外部に設けられても良い。更新部２０ｅは、振り込み要求に対する振り込みが完了したことを金融機関のサーバから受信して振り込み後の金額を携帯電話６の記憶部６１に書き込む。この情報制御装置２０は、例えば、住居内の任意の居室に設置される。
【００２１】
次に、金融機関のサーバ５４０について説明する。
口座データ記憶部５４１は、ユーザを認証するための顧客データと口座番号と当該口座にて取引可能な金額とを対応付けて記憶する。ここで、口座データは、携帯電話６のユーザが利用する口座を開設する際に所定の手続に従って登録されており、そのユーザの顧客データ（例えば、ユーザ識別情報とパスワード）と口座番号と取引可能な残高が対応付けされて記憶される。この顧客データのユーザ識別情報と携帯情報端末のＩＣチップのユーザ識別情報とが１対１で対応している。照合部５４２は、情報制御装置２０から送信される取引要求に基づき、ユーザ識別情報と口座番号と取引金額とについて口座データ記憶部を参照し、取引が成立するか否かを照合する。
【００２２】
振り込み処理部５４３は、情報制御装置２０から受信した振り込み要求に基づき、振り込み要求された口座番号の口座に要求された振込金額を振り込む処理を行う。送信部５４４は、照合部５４２の照合結果を携帯情報端末に送信する機能と、振り込み処理部５４３が振り込みを完了したことを情報制御装置２０に送信する機能とを有する。
【００２３】
以下、上述した携帯情報端末管理システムの動作について、図３を用いて説明する。
１）口座から携帯情報端末にチャージ
まず、ユーザは、携帯電話６のアプリケーションを起動してメニュー画面を表示させる。ここでは、ユーザ識別情報が記憶部６１から読み出された後、パスワードの入力が要求される。このパスワードについては、所定の入力欄にユーザによって入力部６２を操作することによって入力される。携帯電話６は、ユーザ識別情報とパスワードを取得すると、認証を行い、成立した場合に、メニュー画面を表示部６３に表示する。そしてメニュー画面の中からユーザによって「チャージ」が選択されると、チャージする希望金額の入力を要求するメッセージを表示部６３に表示する。ここで、ユーザは、チャージしたい希望金額の入力を行う。この金額の入力は、例えば、数字を入力してもよく、プルダウンメニューの、例えば、「１０，０００円」、「５，０００円」、「３，０００円」等の中から希望金額に相当する金額を選択して入力することが可能である。ここで、取引を行う口座を指定するようにしてもよく、また、予め決められた自身の口座番号を記憶部６１に記憶しておき、チャージの際に読み出すようにしてもよい。
【００２４】
そして、希望金額が入力され、「ＯＫ」ボタンがクリックされると、処理部６４は、ユーザ識別情報とパスワード口座番号とチャージ希望金額とを記憶部６１に１つのレコードとして仮書き込みをおこなう。この仮書き込みは、例えば、このチャージに関するレコードにフラグを設定しておき、フラグが「０」のときに仮書き込み、「１」のときに本書き込みとしている。
仮書き込みが行われると、処理部６４は、「携帯電話をリーダライタに近づけてください」のメッセージを表示部６３に表示する。このメッセージを参照し、ユーザによって情報制御装置２０のリーダライタ２０ｆに通信可能な距離内に近づけられると、入力部２０ａは、ユーザ識別情報とパスワード、口座番号、チャージ希望金額を記憶部６１に仮書き込みされたレコードをリーダライタ２０ｆを介して読み出す（ステップＳ１）。
【００２５】
情報制御装置２０は、入力部２０aが読み出したレコードをＶＰＮサーバ５２０を介して金融機関のサーバ５４０に送信する（ステップＳ２、Ｓ３）。
金融機関のサーバ５４０の照合部５４２は、口座データ記憶部５４１を参照し、チャージが可能であるか否かを照合する。この照合は、まず、ユーザ識別情報とパスワードとについて、顧客データと一致している場合であって、指定された口座番号が顧客データに対応する口座番号と一致するかについて照合することによって行う。照合が成立する場合には、仮書き込みされたチャージ希望金額の読み出しを行い、金融機関のサーバ５４０が口座番号に基づいて、残高を参照する。そして、チャージ希望金額が残高を超えていない場合には、預金口座からチャージの希望金額分について引き落とし処理を行い、送信部５４４によって、照合が成立した旨を示す応答をＶＰＮサーバ５２０を介して情報制御装置２０に送信する（ステップＳ４、Ｓ５）。
【００２６】
情報制御装置２０は、照合結果を受信すると、携帯電話６に送信する（ステップＳ６）。この照合結果を受信すると、処理部６４は、携帯電話６の記憶部６１の仮書き込みのレコードのフラグを「１」に書き換え、本書き込みとする。そして、チャージが完了したことを示すメッセージを表示部６３表示する。このメッセージの一例としては、「１０，０００円のチャージが完了しました。」等のメッセージである。以降、チャージ後の金額は、携帯電話６のアプリケーションによって、残高を表示部６３に表示することができる。
【００２７】
ここで、チャージ希望金額が口座データ記憶部５４１に記憶された残高以上であった場合には、金融機関のサーバ５４０の送信部５４４から残高不足であることを示す応答をＶＰＮサーバ５２０、情報制御装置２０を介して携帯電話６に通知される。これにより、携帯電話６の処理部６４は、表示部６３に「残念ながら残高が足りません。残高照会にて現在の残高をご確認の上、チャージする金額を再度指定してください。」などのメッセージが表示される。
なお、上述した実施形態において、引き落とし処理は、チャージ処理が発生する毎に行ってもよく、一定期間毎（例えば、毎月決められた日）に行ってもよい。
【００２８】
以上説明したように、この実施形態によれば、金融機関の口座の残高を利用してＩＣチップにチャージするようにしたので、現金の持ち合わせていなくても、チャージを行うことができる。また、情報制御装置をユーザの自宅等の住居内に設けることによって、店舗に出向くことなくチャージを行うことができる。
また、ここで、チャージする際の口座番号を携帯電話６から入力する場合について説明したが、ＩＣチップのユーザ識別番号を利用して口座番号を特定するようにしてもよい。この場合、レコードに口座番号が含まれないようにすること可能である。
【００２９】
次に、携帯情報端末としてＩＣカード６ａを用いた場合について図４を用いて説明する。この実施形態においては、図３を用いて説明した例と基本的に同じであるが、携帯情報端末が携帯電話６ではなく、ＩＣカード６ａとタッチパネル１１０とを用いる点が異なる。
すなわち、チャージをするにあたり、ユーザは、タッチパネル１１０を操作して、チャージをするためのメニュー画面を読み出す。タッチパネル１１０は、この操作に応じてユーザ識別情報とパスワードを入力してもらい、メニュー画面を表示する（ステップＳ１１）。次に、チャージ希望金額を入力してもらうための画面を表示し（ステップＳ１２）、ユーザにチャージ希望金額を数字またはプルダウンメニュー等で入力してもらった後、確認のため「ＯＫ」ボタンを押下してもらう。タッチパネル１１０は、チャージする対象のＩＣカードを情報制御装置２０に近づけるようメッセージを表示する（ステップＳ１３）。
【００３０】
そして、ＩＣカード６ａが近づけられると（ステップＳ１４）、情報制御装置２０は、チャージに関するレコードをＩＣカード６ａに仮書き込みし（ステップＳ１５）、チャージ用のレコードのデータをＶＰＮサーバ５２０を介して金融機関のサーバ５４０に送信する（ステップＳ１６、１７）。金融機関のサーバ５４０は、照合を行い、照合結果をＶＰＮサーバ５２０、情報制御装置２０を介してＩＣカード６ａに送信する（ステップＳ１８、Ｓ１９）。この照合結果は、メッセージとしてタッチパネル１１０に表示される（ステップＳ２０）。
そして、照合結果が成立している場合は、仮書き込みのレコードを本書き込みとして書き込む（ステップＳ２１）。
このように、入力装置や表示装置を有しないＩＣカード６ａであっても、タッチパネル１１０等と組み合わせて使用することにより、チャージが可能である。
【００３１】
２）チャージした金額から振り込み
ここでは、携帯情報端末のＩＣチップにチャージされた電子マネーを利用して他の銀行口座に振り込む場合について説明する。
まず、携帯電話６のメニュー画面から「携帯電話から他の銀行口座に振り込む」のメニューを指示する。ここでは、携帯電話６は、パスワードをユーザから入力してもらい、振り込み希望金額と振込先の口座番号を入力してもらうための画面を表示する。そして、振り込み金額と振り込み先の口座番号が入力され、確認のため「ＯＫ」ボタンがクリックされると、携帯電話６は、記憶部６１から読み出されるユーザ識別情報、パスワード、振込先の銀行口座の番号、振込金額を１つのレコードとして記憶部６１に仮書き込みを行う。そして、記憶部６１に記憶されたチャージ金額と仮書き込みを行った振り込み金額とを比較し、振り込み金額がチャージ金額以下である場合に、仮書き込みを完了する。振り込み金額がチャージ金額を超えている場合には、残高不足である旨のメッセージを表示する。
【００３２】
仮書き込みが行われると、情報制御装置２０は、仮書き込みのレコードをＶＰＮサーバ５２０を介して金融機関のサーバ５４０に送信する。金融機関のサーバ５４０は、レコードの情報に基づいて照合を行い、照合結果が正しい場合に、振込先の銀行口座に指定された振込金額の金額を振り込む処理を行う。この照合には、ユーザ識別情報とパスワードが一致していて、振り込み先の口座が正しく存在するか否かについて照合される。
【００３３】
照合結果が成立する場合、金融機関のサーバ５４０は、ＶＰＮサーバ５２０、を介して情報制御装置２０に完了通知を送信する。これにより、情報制御装置２０によって、携帯電話６の記憶部６１に記憶された金額が振り込み金額分だけ減算され、減算結果の金額が本振り込みとして記憶部６１に書き込まれる。
【００３４】
以上説明した実施形態によれば、チャージ金額があれば、他の銀行にも振り込みを行うことができ、特に、自宅でもＩＣチップを利用した振り込みをすることができる。
また、この実施形態では、携帯情報端末として携帯電話６を用いた場合について説明したが、ＩＣカード６ａを適用することも可能である。この場合、タッチパネル１１０等と組み合わせて各種情報の入力や出力を行うこととなる。
【００３５】
３）銀行口座から他の銀行口座への振り込み
この実施形態では、携帯情報端末を利用して、銀行口座から他の銀行口座に振り込む場合について図５を用いて説明する。
まず、ユーザは、携帯電話６のメニュー画面から「銀行口座から他の銀行口座に振り込む」のメニューを選択する。ここでは、携帯電話６は、同様に、パスワードをユーザから入力してもらい、振り込み希望金額と振込先の口座番号を入力してもらうための画面を表示する。そして、振り込み金額と振り込み先の口座番号が入力され、確認のため「ＯＫ」ボタンがクリックされると、携帯電話６は、ユーザ識別情報を記憶部６１から読み出し、読み出したユーザ識別情報とパスワード、振込先の銀行口座の番号、振込金額を１つのレコードとして記憶部６１に仮書き込みを行う。
【００３６】
仮書き込みが行われると、情報制御装置２０は、仮書き込みのレコードをＶＰＮサーバ５２０を介して金融機関のサーバ５４０に送信する（ステップＳ３１、３２）。金融機関のサーバ５４０は、レコードの情報に基づいて照合を行い、照合結果が正しい場合に、振込先の銀行口座に指定された振込金額の金額を振り込む処理を行う。この照合には、ユーザ識別情報とパスワードが一致していて、振り込み先の口座が正しく存在するか否か、振り込み金額が振り込み元の口座の残高を超えているか否かについて照合される。
【００３７】
照合結果が成立する場合（振り込み金額が残高以下である場合）、金融機関のサーバ５４０は、指定された銀行口座に対して振り込み処理を行い、振り込み元の銀行口座の金額を減算する。そして、振り込み完了通知をＶＰＮサーバ５２０を介して情報制御装置２０に送信する（ステップＳ３３、Ｓ３４）。情報制御装置２０は、携帯電話６に対して振込完了を通知する。これにより、携帯電話６の表示部６３には、振り込みが完了した旨のメッセージが表示される。
【００３８】
この実施形態によれば、携帯電話６に設けられたＩＣチップに記憶された識別情報を利用して振り込み元の口座を特定し、他銀行の口座に振り込むことができる。
また、この実施形態では、携帯情報端末として携帯電話６を用いた場合について説明したが、ＩＣカード６ａを適用することも可能である。この場合、タッチパネル１１０等と組み合わせて各種情報の入力や出力を行うこととなる。
【００３９】
また、この実施形態においては、ＩＣチップに記憶された識別情報を利用して銀行口座を特定することができるので、例えば、携帯電話６のアプリケーションを起動してパスワードを入力したのち、「銀行口座の残高照会」のメニューが選択された場合、金融機関のサーバ５４０にアクセスして、残高を読み出し、携帯電話６に表示させるようにしてもよい。この場合、ＩＣチップに記憶された識別情報とユーザによって入力されるパスワードが金融機関のサーバ５４０において認証され、成立した場合に残高照会することが可能である。
また、この残高照会についても、携帯情報端末として携帯電話６を用いた場合について説明したが、ＩＣカード６ａを適用することも可能である。この場合、タッチパネル１１０等と組み合わせて各種情報の入力や出力を行うこととなる。
【００４０】
４）ＩＣチップにチャージされた金額の残高照会
携帯電話６のアプリケーションが起動され、パスワード認証を行った後、メニュー画面から「チャージ金額の残高照会」のメニューが選択されると、処理部６４は、記憶部６１に記憶された金額を読み出して表示部６３に表示する。ここでは、残高の他に使用履歴（例えば、本書き込みをしたレコード）を表示することもできる。
また、この残高照会は、携帯電話６のみではなく、ＩＣカード６ａでも可能である。ここでは、タッチパネル１１０等と組み合わせて各種情報の入力や出力を行うこととなる。
なお、上述した実施形態において、携帯電話６にチャージされている金額を他の携帯電話６あるいはＩＣカード６ａにチャージするようにしてもよい。
【００４１】
Ｂ）扉解錠機能
次に、携帯情報端末として上述の携帯電話６またはＩＣカード６ａを利用し、扉を解錠する場合について説明する。
図６は、この発明の一実施形態による携帯情報端末管理システムの機能構成を示す概略ブロック図である。この図において、携帯情報端末管理システムは、鍵制御ボード２がＬＡＮ（ローカルエリアネットワーク）等のネットワーク８００を介してサーバ１に接続されるとともに、携帯電話６に対して通信を行うリーダライタ３と、電子錠施錠装置４とに接続される。
【００４２】
サーバ１は、ネットワーク８００を介して入居者端末６００と管理端末７００とに接続される。
このサーバ１は、ＩＣチップに記憶されたＩＤコードならびに顧客データ等が記憶されたＩＤ情報データベースを一元的に管理するデータ管理部１１、遠隔に携帯情報端末管理システムが保有するメモリ内のデータを書き換えるデータ書き換え部１２、入居者端末６００に対して各種情報を送信する通信部１３、各種情報を記憶するデータベース１４を有する。
【００４３】
データベース１４は、ＩＤ情報データベースと、解錠した履歴を記憶する解錠履歴データベースと、装置に異常が発生した履歴を記憶する装置異常記録データベースとによって構成される。ＩＤ情報データベースには、例えば、錠の解錠が可能な鍵となるＩＤコード、解錠する対象の扉を特定するための扉ＩＤ（例えば、マンション名と部屋番号との組み合わせの情報）、ＩＤコードの有効期間、所有者名称、電子メールアドレス、携帯電話の電話番号などが対応付けられて記憶される。このＩＤ情報は、入居者以外に、管理会社の端末、管理人の端末に対してＩＤコードを割り当てておき、解錠可能にしてもよい。この場合、管理会社の端末には有効期限を設けず、管理人の端末に有効期限を設けるようにしてもよい。
携帯電話６は、上述した携帯電話６が適用可能である。
【００４４】
鍵制御ボード２は、シリアルポートを有し、このシリアルポートにリーダライタ３がシリアル接続されるとともに、Ｉ／Ｏポートを有し、このＩ／Ｏポートに例えば、ＲＳ−２３２Ｃなどのインタフェースを介して電子錠施錠装置４が接続される。この鍵制御ボード２は、必要に応じて交換可能であり、例えば、改良型の鍵制御ボードに交換する場合、電子錠施錠装置４はそのままに設置しておき、鍵制御ボードの部分のみ交換することが可能である。なお、必要に応じてリーダライタも交換可能である。
【００４５】
この鍵制御ボード２において、ネットワーク関連機能部２１は、ネットワーク８００に接続され、サーバ１と各種情報の通信を行う。この接続は、ＬＡＮ接続であってもよい。
メモリ２２は、錠の解錠が可能な鍵の識別番号を鍵ＩＤとして記憶する。また、メモリ２２は、解錠および施錠を行った履歴をＩＤコードと対応付けてログ情報として記憶する。外部Ｒ／Ｗ制御エンジン部２３は、リーダライタ３から出力されるデータをメインアプリケーション部２４に出力し、メインアプリケーション部２４から出力されるデータをリーダライタ３に出力する。メインアプリケーション部２４は、各部を制御する（詳細は後述する）。このメインアプリケーション部２４は、適宜更新することによりアップデートが可能である。
【００４６】
鍵制御機能部２５は、メインアプリケーション部２４から出力されるＩＤコードに一致する鍵ＩＤがメモリ２２に記憶されているか否かを検索する機能と、この検索結果に基づいて、ＩＤコードに一致する鍵ＩＤがメモリ２２から検索された場合に、電子錠施錠装置４に解錠の指示を出力する機能とを有する。また、鍵制御機能部２５は、自身の鍵制御ボード２の制御対象となる電子錠施錠装置４を解錠させるＩＤコードをメモリ２２に書き込む。この書き込みは、携帯電話６、サーバ１、入居者端末６００等からの指示に基づいて書き換えが可能である。
【００４７】
リーダライタ３は、外壁と同じ素材で仕上げる、あるいは、外壁部材の室内側または扉の外面部材の室内側に設けられる。これにより、外部から視認されにくくなり、いたずらや侵入防止を図ることが可能である。携帯電話６のＩＣチップに記憶された識別情報（ここではＩＤコードとも称す）を読み出して、外部Ｒ／Ｗ制御エンジン部２３を介してメインアプリケーション部２４に出力する機能と、外部Ｒ／Ｗ制御エンジン部２３を介して出力されるメインアプリケーション部２４からの指示に応じた制御信号を出力する。この鍵制御ボード２とリーダライタ３との組み合わせが情報制御装置２０に対応する。
【００４８】
電子錠施錠装置４は、施錠・解錠する対象となる扉やドア等に設けられ、鍵制御ボード２からの解錠の指示または外部に設けられる２ボタン式入力部から入力される情報に基づいて、錠を解錠する。電子錠施錠装置４は、解錠した後、所定の時間が経過した後、あるいは、扉が一旦開き、閉になった場合に施錠する。この電子錠施錠装置４は、例えば、特願平１０−２５９３５１の自動扉施錠制御装置を適用することも可能である。
【００４９】
次に、上述した図６の構成における携帯情報端末管理システムについて、図７を用いてさらに説明する。図７は、携帯情報端末管理システムの構成を示す概略ブロック図である。この図において、情報制御装置２０は、ネットワーク装置２１０、入力インタフェース２２０、フラッシュＲＯＭ２３０、ＣＰＵ（中央処理装置）２４０、ＲＡＭ２５０、出力インタフェース２６０、電子錠制御コントローラ２７０、リーダライタ３、ＲＴＣ２８０、ＡＣ−ＤＣコンバータ２９０によって構成され、フラッシュＲＯＭ２３０やＲＡＭ２５０に記憶されたプログラムを読み出してＣＰＵ２４０が実行することにより、図６におけるネットワーク関連機能部２１、外部Ｒ／Ｗ制御エンジン部２３、メインアプリケーション部２４、鍵制御機能部２５の機能を実現する。ここでは、フラッシュＲＯＭ２３０が図６のメモリ２２に相当する。また、情報制御装置２０は、電源部２６からＡＣ−ＤＣコンバータ２９０を介して交流から直流に変換され供給される電源によって駆動する。この電源部２６としては、例えば、商用電源が利用される。
【００５０】
電子錠施錠装置４において、制御部は、ＣＰＵ（中央演算装置）４５と、ＲＯＭ４６と、ＲＡＭ４７と、入力インタフェース４８と、出力インタフェース４９とから構成される。入力インタフェース４８には、２ボタン式入力部２７と、解錠スイッチ４４と、不良閉扉状態検知センサの一例である閉扉検知センサ５０とが接続される。ここで、閉扉検知センサ５０は、扉が完全に閉状態になっているか否かを検知する機能を有し、閉状態になっていない場合に不良閉扉状態通報手段の一例である不良閉扉ブザー５２によって不良閉扉状態を通報する。出力インタフェース４９には、扉施錠機構１５と、開扉通報手段の一例である解錠音発生装置５３と、不良閉扉ブザー５２が接続される。閉扉検知センサ５０は、例えば、扉の前面の上方部と対峙する壁の中に埋設された状態で取付けられている。
また、電子錠施錠装置４は、単一の電源部４１から供給される電源によって、受信機１８、２ボタン式入力部２７、解錠スイッチ４４、閉扉検知センサ５０、扉施錠機構１５、不良閉扉ブザー５２、解錠音発生装置５３に給電可能に構成されている。 この電源部４１としては、例えば、乾電池などの蓄電池が適用される。
【００５１】
扉施錠機構１５は、例えば、開閉する扉の室内側面に設けられるプランジャ係止孔に対し、電子錠施錠装置に設けられるプランジャを進退せしめることにより、施錠・解錠を行い、扉に設けられたドアノブを回すことによって扉を開閉させることが可能である。また、室内側面に設けられた係止部材と、電子錠施錠装置に設けられる係止部材とを電磁的に結合・開放することによって施錠・解錠を行うように構成することも可能である。この扉施錠機構１５の位置は、変更可能である。例えば、ラッチ部分を外部から認識できない構造にしたり、扉の外周面に沿って移動可能に設け所定の期間毎に位置を変更するようにしたり、設置個数を複数設けるようにしてもよい。これにより、ラッチが外部から破壊されてしまうことを防止することができる。
【００５２】
２ボタン式入力部２７は、２個のボタンから情報を入力するものであり、例えば、「０」と「１」のボタンが設けられ、解錠するための数桁（１４桁等）のコード（入力情報）を入力することが可能である。この入力されたコードとＲＯＭ４６またはＲＡＭ４７に記憶されたコードとが一致するか否かをＣＰＵ４５によって検出し、一致している場合に解錠することによって、情報制御装置２０が電源供給停止などの非常事態において応急的に対応することも可能である。
【００５３】
図８は、携帯情報端末管理システムの動作を説明するための図面である。ここでは、マスターとなる鍵の所有者が有する携帯電話６によって解錠する場合について説明する。まず、管理者によって、マスター鍵の発行指示が管理用ＰＣから入力されると、管理端末７００は、発行登録を情報制御装置２０に送信する（ステップＳ１）。ここでは、どの端末に対して発行するかを特定するための情報として電子メールアドレスも含めて送信する。
情報制御装置２０のアプリケーション部２４は、管理端末７００からの発行登録をメモリ２２に記憶し、マスター鍵登録通知メールをネットワーク関連機能部２１によって携帯電話６に電子メールにて送信する（ステップＳ２）。この電子メールには、携帯電話６のＩＣチップに記憶されたＩＤコードをサーバ１に送信するためのアプリケーションが保存されたアクセス先（サーバ１）を示すＵＲＬが記述されて送信される。
【００５４】
携帯電話６は、ユーザからの指示に基づいて、電子メールが開封され本文に記載されたＵＲＬにアクセスし、アクセス先のサーバ１に保管されたアプリケーションをダウンロードし（ステップＳ４）、ダウンロードしたアプリケーションを実行し、ＩＣチップ内に記憶されたＩＤコードを読み出し（ステップＳ５）、情報制御装置２０に送信する（ステップＳ６）。ここでは、送信する際に、携帯電話６の携帯電話固有情報となる電子メールアドレスとともに送信する。
情報制御装置２０のアプリケーション部２４は、ＩＤコードと携帯電話固有情報とを受信し、これらの対応付けてメモリ２２に記憶して、マスター鍵を有効として設定する（ステップＳ７）。そして、マスター鍵となるＩＤコードと携帯電話固有情報とをマスター鍵情報としてサーバ１に送信し、サーバ１のＩＤデータベースにＩＤ情報として登録する（ステップＳ８）。
【００５５】
そして、玄関等の扉を解錠する場合、ユーザによってリーダライタ３の通信距離内に携帯電話６が近付けられると、携帯電話６に記憶されたＩＤコードがリーダライタ３によって読み取られ、情報制御装置２０に出力される（ステップＳ９）。
情報制御装置２０のアプリケーション部２４は、リーダライタ３によって読み出されたＩＤコードとメモリ２２に鍵ＩＤとして記憶されたＩＤコードとを比較し、一致するか否かを照合し、一致する場合に解錠する指示を電子錠施錠装置４に出力する（ステップＳ１０）。これにより、電子錠施錠装置４の錠が解錠される。そして、アプリケーション部２４は、施錠状態から解錠状態に遷移したことを状態変化としてサーバ１に送信する（ステップＳ１１）。これにより、錠のステータスの変更履歴としてサーバ１のデータベース１４に記憶される（ステップＳ１２）。さらにアプリケーション部２４は錠の変更履歴をメモリ２２に記憶する（ステップＳ１３）。
【００５６】
次に、合い鍵となる携帯電話６を用いて解錠する場合について説明する。図９は、合い鍵となる携帯電話６の場合における携帯情報端末管理システムの動作を説明するための図面である。
マスター側の携帯電話６は、アプリケーションを実行することにより、合い鍵作成画面を呼び出し（ステップＳ２１）、合い鍵を付与する対象となる携帯電話６の識別情報（例えば電子メールアドレス）とともに、合い鍵作成依頼を情報制御装置２０に送信する（ステップＳ２２）。
【００５７】
情報制御装置２０は、マスター側の携帯電話６から受信した合い鍵の付与対象の携帯電話６の電子メールアドレスを宛先にし、合い鍵発行通知を電子メールにて携帯電話６に送信する（ステップＳ２３）。
合い鍵側の携帯電話６は、情報制御装置２０から受信したメールに記述されたＵＲＬにアクセスし、サーバ１からアプリケーションをダウンロードし（ステップＳ２４）、実行する。そして、実行したアプリケーションによって、自身の携帯電話６内のＩＤコードを読み出し（ステップＳ２５）、携帯電話固有情報（電子メールアドレス）とともに情報制御装置２０に送信する（ステップＳ２６）。
【００５８】
情報制御装置２０のアプリケーション部２４は、携帯電話６から通知されたＩＤコードと携帯電話固有情報（電子メールアドレス）とを対応付けてＩＤ情報としてメモリ２２に記憶し、当該ＩＤコードを合い鍵として有効になるように設定する（ステップＳ２７）。そして、情報制御装置２０は、ＩＤ情報を合い鍵情報としてサーバに送信する（ステップＳ２８）。ここでは、マスター側の携帯電話６の携帯電話固有情報も送信される。これにより、サーバ１のＩＤデータベースにＩＤ情報が登録されるとともに、マスター鍵と合い鍵とが対応付けされて記憶される（ステップＳ２９）。
【００５９】
そして、玄関の扉を解錠する場合、合い鍵となる携帯電話６が通信可能な距離内に近づけられると、リーダライタ３は、携帯電話６からＩＤコードを読み出し、情報制御装置２０に出力する（ステップＳ３０）。情報制御装置２０のアプリケーション部２４は、リーダライタ３によって読み出したＩＤコードとメモリ２２に記憶されたＩＤコードとを比較して一致するか否かを検出し、一致する場合に、さらに有効期間内であるかを検出し、有効期間内である場合に、電子錠施錠装置４に解錠の指示を出力する（ステップＳ３１）。そして、アプリケーション部２４は、施錠から解錠にステータスが変更したことをサーバ１に送信する（ステップＳ３２）。錠のステータスの変更履歴としてメモリ２２に記憶し（ステップＳ３３）、鍵の状態変化をマスター鍵となる携帯電話６に送信する（ステップＳ３４）。
【００６０】
サーバ１は、情報制御装置２０からステータスの変更について履歴を受信して記憶する（ステップＳ３５）。
【００６１】
この実施形態によれば、合い鍵を使用した際に、施錠から解錠したことを示す状態遷移をマスター側の携帯電話６に送信するようにしたので、例えば、親がマスター側の携帯電話６を所有し、子が合い鍵側の携帯電話６を所有している場合に、子の帰宅を親が遠隔にいても把握することができる。
【００６２】
また、上述した実施形態において、電源部２６から情報制御装置２０への電源の供給が停止された場合、別途独立して設けられた電源部４１から電子錠施錠装置４に電源が供給されているので、２ボタン式入力部からＩＤコードに相当する番号を２つのボタンを利用して暗証番号を入力することによって、電子錠施錠装置４を解錠させることも可能である。これにより、情報制御装置２０に対する電源供給が停止した非常時においても、扉を解錠することが可能である。
【００６３】
なお、上述した実施形態において、扉は玄関である場合について説明したが、マンション等の集合住宅である場合には、エントランスの扉にも適用することが可能である。また、扉は、解錠状態になることにより、ドアノブを持って開く場合について説明したが、引き戸に適用するようにしてもよく、また、ＩＤコードが一致した場合に解錠状態となり、ドアも開く自動ドアタイプに適用することも可能である。
【００６４】
また、上述した実施形態においては、マスター側のユーザは、情報制御装置２０からメールを受信することによってステータスの変更を把握することができるが、マスター側の携帯電話６がサーバ１または情報制御装置２０にステータスを参照するべく、アクセスするようにしてもよい。これにより、任意のタイミングで、解錠と施錠のいずれの状態であるかを把握することが可能である。また、ここでは、ステータスの変更履歴を参照するようにしてもよい。
【００６５】
また、上述した実施形態において、電子メールアドレスを利用して、管理端末７００から、マスター側や合い鍵側の携帯電話６に対し、メッセージを送信するようにしてもよい。
さらにまた、上述した実施形態において、有効期限を設けるようにしたので、この有効期限を適宜設定することにより、休止や有効期間の変更を行うことができる。
【００６６】
また、上述した実施形態において、数桁（１４桁等）のコードを２ボタン式入力部２７から入力して解錠する場合について説明したが、このコードの入力は、２ボタン式入力部２７に限られるものではなく、入力部としてボタン数が１のものであってもよく、また、３以上のものであってもよい。
【００６７】
また、図２における携帯電話６、情報制御装置２０、金融機関のサーバ５４０、図６の自動扉施錠制御装置、図７の電子錠施錠装置４の機能を実現するためのプログラムをコンピュータ読み取り可能な記録媒体に記録して、この記録媒体に記録されたプログラムをコンピュータシステムに読み込ませ、実行することにより携帯情報端末との処理管理を行ってもよい。なお、ここでいう「コンピュータシステム」とは、ＯＳや周辺機器等のハードウェアを含むものとする。
【００６８】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００６９】
【図１】この発明の一実施形態による携帯情報端末管理システムの構成を示す概略構成図である。
【図２】携帯情報端末管理システムの構成を説明するための概略ブロック図である。
【図３】携帯情報端末管理システムの動作について、
【図４】携帯情報端末としてＩＣカード６ａを用いた場合について説明するための図面である。
【図５】携帯情報端末を利用して銀行口座から他の銀行口座に振り込む場合について説明するための図面である。
【図６】この発明の一実施形態による携帯情報端末管理システムの機能構成を示す概略ブロック図である。
【図７】携帯情報端末管理システムの構成を示す概略ブロック図である。
【図８】携帯情報端末管理システムの動作を説明するための図面である。
【図９】合い鍵となる携帯電話６の場合における携帯情報端末管理システムの動作を説明するための図面である。
【符号の説明】
【００７０】
１  サーバ                          ４  電子錠施錠装置
６  携帯電話                        ６ａ  ＩＣカード
２０  情報制御装置                  ５４０  金融機関のサーバ
【図１】
2007034941.tif 000003
【図２】
2007034941.tif 000004
【図３】
2007034941.tif 000005
【図４】
2007034941.tif 000006
【図５】
2007034941.tif 000007
【図６】
2007034941.tif 000008
【図７】
2007034941.tif 000009
【図８】
2007034941.tif 000010
【図９】
2007034941.tif 000011